(57)【要約】【課題】  被検体が、撮影に関する情報を的確かつ容易に把握できる医用診断装置を提供することにある。【解決手段】  被検体の撮影を行うガントリ部と、前記被検体を載置して前記被検体の体軸方向に移動可能な天板を有する寝台機構と、前記ガントリ部に支持され、前記撮影に関する情報を表示するための表示器と、前記ガントリ部及び前記寝台機構の複数の動作を所定の順序に従って行わせるための制御を行う操作コンソール部と、前記表示器の前記ガントリ部に対する配置を変化させるための駆動機構と、前記操作コンソール部手段から取得した動作に関する情報に基づいて、前記ガントリ部に対する前記天板の位置、及び前記天板上における前記被検体の配置の少なくとも一方に対応して、前記駆動機構を制御するための駆動制御手段とから構成される。【選択図】図１
2010012319.tif 000002
【特許請求の範囲】
【請求項１】
被検体の撮影を行うガントリ部と、
前記被検体を載置して前記被検体の体軸方向に移動可能な天板を有する寝台機構と、
前記ガントリ部に支持され、前記撮影に関する情報を表示するための表示器と、
前記ガントリ部及び前記寝台機構の複数の動作を所定の順序に従って行わせるための制
御を行う操作コンソール部と、
前記表示器の前記ガントリ部に対する配置を変化させるための駆動機構と、
前記操作コンソール部手段から取得した動作に関する情報に基づいて、前記ガントリ部
に対する前記天板の位置、及び前記天板上における前記被検体の配置の少なくとも一方に
対応して、前記駆動機構を制御するための駆動制御手段と
を含むことを特徴とする医用診断装置。
【請求項２】
前記駆動制御手段は、前記天板上における前記被検体の前記ガントリ部に対する向き及
び姿勢の少なくとも一方に対応させて、前記駆動機構を制御するための機能を含むことを
特徴とする請求項１記載の医用診断装置。
【請求項３】
前記駆動機構は、前記表示器の前記ガントリ部に対する角度を変化させるための機構を
含むことを特徴とする請求項１又は２記載の医用診断装置。
【請求項４】
前記駆動制御手段は、前記表示面と前記被検体の前記表示面への視線が、略直交するよ
うに、前記表示器の前記ガントリ部に対する角度を、前記天板の移動に伴って変化させる
機能を含むことを特徴とする請求項３記載の医用診断装置。
【請求項５】
被検体の撮影を行うガントリ部と、
前記被検体を載置して前記被検体の体軸方向に移動可能な天板を有する寝台機構と、
前記ガントリ部に支持され、前記撮影に関する情報を表示するための表示器と、
前記ガントリ部及び前記寝台機構の複数の動作を所定の順序に従って行わせるための制
御を行う操作コンソール部と、
前記操作コンソール部手段から取得した動作に関する情報に基づいて、前記ガントリ部
に対する前記天板の位置、及び前記天板における前記被検体の配置のすくなくとも一方に
対応して前記表示器に表示する情報を変化させるための表示制御手段と、を含むことを特
徴とする医用診断装置。
【請求項６】
前記表示制御手段が、前記表示器に表示される情報の形態の上下方向を前記天板上にお
ける前記被検体の配置に対応して切り替える機能を含むことを特徴とする請求項５記載の
医用診断装置。
【請求項７】
前記表示器を前記ガントリ部における前記寝台機構と向き合う面である前面及びその反
対側の面である後面に備え、
前記表示制御手段は、
前記被検体がヘッドファーストにより前記ガントリ部へ導入される場合に、前記ガント
リ部の前面に設けられた前記表示器に表示される情報の形態の上下方向を逆向きに切り替
える機能、
及び前記被検体がフットファーストにより前記ガントリ部へ導入される場合に、前記ガ
ントリ部の後面に設けられた前記表示器に表示される情報の形態の上下方向を逆向きに切
り替える機能
の少なくとも一方を含むことを特徴とする請求項６記載の医用診断装置。
【発明の詳細な説明】
【技術分野】
【０００１】
本発明はＸ線ＣＴ装置や核磁気共鳴イメージング装置などの医用診断装置に関する。
【背景技術】
【０００２】
図１０は、従来のＣＴ装置の基本構成を示す説明図である。このＣＴ装置は、操作コン
ソール１０１と，寝台機構１０２と，ガントリ部１０３とを備えている。操作コンソール
１０１は、オペレーターからの指示や情報などを受け取る。寝台機構１０２は、被検体Ｏ
ＢＪを天板１０４上に載せて体軸方向に移動させる。また、ガントリ部１０３は、筒状空
間内で被検体ＯＢＪにＸ線を照射することによりスキャンを行う。また、筒状空間の端部
に形成されたテーパ状壁面の上部には、呼吸するか息止めをするかを被検体ＯＢＪに指示
するための表示を複数のＬＥＤなどによって行う表示器１０５が固定されている。
【０００３】
また、スキャン方法としては、Ｓ＆Ｖスキャン、Ｓ＆Ｓスキャン、ヘリカルスキャン等
のスキャン方法が挙げられる。なお、Ｓ＆Ｖスキャンは、スキャンを行い、このスキャン
による画像が再構成され表示された後に、再度スキャンを行うといったスキャンと画像再
構成表示を交互に行うスキャン方法であり、例えばスキャン位置の確認や造影剤が所望の
部位に行き渡ったか否かを確認する場合等に用いられるスキャン方法である。また、Ｓ＆
Ｓスキャンは、スキャンを連続的に行い、各スキャンに追従するかたちで画像を再構成し
て表示するスキャン優先のスキャン方法であり、ヘリカルスキャンは、被検体ＯＢＪの載
置された寝台機構１０２を所定ピッチで移動させることで、被検体ＯＢＪを螺旋状にスキ
ャンし、連続的な断層像を得るスキャン方法である。
【０００４】
ここで、スキャン中において、被検体ＯＢＪが呼吸や息止めを的確に行わないと、被検
体ＯＢＪの位置が固定しないため、断層像の画質の劣化を招いたり、撮影のやり直しによ
るスキャン時間の延長や、それに伴う被検体ＯＢＪの被曝量の増大などを招く。したがっ
て、被検体に確実に息止めを行わせることは非常に重要な課題であり、従来、さまざまな
工夫がなされてきた。
【０００５】
例えば上述の従来のＣＴ装置では、表示器１０５を用い、複数のＬＥＤなどの点灯や色
彩などにより息止め開始／解除を表すなどして、呼吸のタイミングをガイドできるように
なっている。
【０００６】
さらに、特許文献１に示されるＣＴ装置では、ガントリ部の外側にＣＴ撮影の進行状況
に関する各種情報を表示するためのドットマトリクス方式による表示パネルを設けている
。このＣＴ装置によれば、被検体に文字情報などを与えることができる。
【０００７】
また、特許文献２に示されるＣＴ装置においては、薄型画像表示器と、ガントリ部と薄
型画像表示器の間に介在する変形自在であり変形した状態で形状を保持する支持部材とを
設けている。このＣＴ装置によれば、オペレーターが手動で表示器を希望する角度にする
ことができる。
【先行技術文献】
【特許文献】
【０００８】
【特許文献１】特開２００２−１６５７８３号公報
【特許文献２】特開平１０−１１８０５７号公報
【発明の概要】
【発明が解決しようとする課題】
【０００９】
しかしながら、上述した従来の方式では、被検体の位置及び装置の配置によっては、被
検体から表示器が見えにくくなってしまうという問題があった。例えば、被検体のガント
リ部への導入前と導入後ではガントリ部に対する被検体の頭部の位置が異なる。また、寝
台機構の床への設置部分からガントリ部への方向が、被検体の下肢部に対する頭部方向と
なるように被検体を天板に載置することもあれば（ヘッドファースト）、その逆に、寝台
機構の床への設置部分からガントリ部への方向を下肢部の方向として被検体を載置するこ
ともある（フットファースト）。どちらの形態で診断するかによってもガントリ部に対す
る被検体の頭部の位置が異なる。さらに、上述したヘリカルスキャンにおいては、息止め
指示が重要であるスキャン中に被検体の位置が変動する。
【００１０】
上述した従来の方式では表示器はガントリ部に対して固定されているため、被検体の位
置によっては、被検体から表示器が見えにくくなってしまう。つまり、ある装置の配置に
おいては、被検体から表示器がよく見えたとしても、装置の他の配置においては見えにく
くなくなってしまう。
【００１１】
また、ヘッドファーストの場合とフットファーストの場合では表示器に対する被検体の
視野の上下が逆になる。したがって、情報を被検体に伝達する場合に、被検体はさかさま
の文字を読むことが必要になり、被検体にとって表示器上の情報が読み取りにくくなって
しまうという欠点がある。
【００１２】
これらは、被検体への的確な指示に支障を与える。とくに音声による指示が困難である
聴覚障害者の診断においては重要な課題となる。
【００１３】
さらに、液晶ディスプレーなどの視認できる角度が狭い表示器を用いた時に、このよう
な欠点はより顕著である。しかし、液晶ディスプレーは薄型で、表示内容が多彩であり、
かつ施工コストも安く抑えることができるので、液晶ディスプレーを使用することの利点
もある。
【００１４】
特許文献１に示されるような従来のＣＴ装置においては、ドットマトリクスを用いてい
るため、視認できる角度はある程度広い。しかし作業中のオペレーターや表示器を見てい
る被検体に提供できる情報は、数個程度の文字など単純な情報に限られてしまうし、視認
できる角度が限られているという点では変わりはなく、やはり被検体の配置によっては表
示器が見えにくくなってしまう。
【００１５】
また、特許文献２に示されるＣＴ装置では、ガントリに対する表示器の支持角度が変更
可能であるが、それを手動により変更しなければならない。
【００１６】
これらの事情から、従来のＣＴ装置では、表示器からの情報による、被検体に対する案
内が必ずしも十分ではなかった。
【００１７】
本発明は、上記課題に鑑みてなされたものであり、その目的とするところは、被検体が
、撮影に関する情報を的確かつ容易に把握できる医用診断装置を提供することにある。
【課題を解決するための手段】
【００１８】
上記目的を達成するために、本発明のＣＴ装置は被検体の撮影を行うガントリ部と、前
記被検体を載置して前記被検体の体軸方向に移動可能な天板を有する寝台機構と、前記ガ
ントリ部に支持され、前記撮影に関する情報を表示するための表示器と、前記ガントリ部
及び前記寝台機構の複数の動作を所定の順序に従って行わせるための制御を行う操作コン
ソール部と、前記表示器の前記ガントリ部に対する配置を変化させるための駆動機構と、
前記操作コンソール部手段から取得した動作に関する情報に基づいて、前記ガントリ部に
対する前記天板の位置、及び前記天板上における前記被検体の配置の少なくとも一方に対
応して、前記駆動機構を制御するための駆動制御手段とを含むことを特徴としている。
【発明の効果】
【００１９】
本発明によれば、被検体が、撮影に関する情報を的確かつ容易に把握できる医用診断装
置を提供できる。
【図面の簡単な説明】
【００２０】
【図１】本発明に係るＣＴ装置の実施例を示す構成図。
【図２】図１のＣＴ装置の制御機構の一例を示すブロック図
【図３】ＣＴ装置の準備動作の流れを示すフローチャート。
【図４】ＣＴ装置のスキャン動作の流れを示すフローチャート。
【図５】ヘッドファーストにおける被検体とガントリ部の前面の表示器の関係を示す図。
【図６】ヘッドファーストにおける被検体とガントリ部の前面の表示器の関係を示す図。
【図７】フットファーストにおける被検体と表示器の関係を示す図。
【図８】スキャンの準備動作中において表示器に表示される画像の一例を示す図。
【図９】Ｘ線のスキャン中において表示器に表示される画像の一例を示す図。
【図１０】従来のＣＴ装置を示す構成図。
【発明を実施するための形態】
【００２１】
以下、本発明の実施例を図１乃至図９を参照して説明する。
【００２２】
図１は本発明に係るＣＴ装置の実施例を示す構成図である。本実施例のＣＴ装置は、例
えばＸ線撮影により被検体の断層像を得るものであり、寝台機構１０とガントリ部２０と
表示器３０と支持機構４０とを備えている。
【００２３】
寝台機構１０は、天板１１上に被検体ＯＢＪをのせて、それを体軸方向及び上下方向に
移動できるようになっている。さらに、天板１１は被検体ＯＢＪの頭部を固定するための
ヘッドレスト１２を有する。これにより、Ｘ線のスキャン中の被検体ＯＢＪの頭部のぶれ
を防ぐことができ、画像の劣化を防ぐことができる。
【００２４】
また、ガントリ部２０は前面及び後面に出入り口２１を有し、出入り口２１の開口部は
テーパ状に拡げられている。出入り口２１を通じて被検体ＯＢＪを載置した天板１１が、
被検体ＯＢＪの搬入及び搬出を行う。また、出入り口２１からガントリ部２０の厚みの半
分程度入った位置にスライス面ＳＬＳが設置されており、このスライス面ＳＬＳに被検体
ＯＢＪの目的のスライス部位が合わせられ、Ｘ線源２２及び検出部２３がガントリ部２０
の内部を回動することによってスキャンされる。
【００２５】
さらにガントリ部２０は、被検体ＯＢＪの体軸及び鉛直軸と直行する軸を回転中心とし
て回動可能にて床面に設置されていてもよい。この回動の角度（チルト角）により、被検
体ＯＢＪの多角的な断層像を得ることができる。
【００２６】
表示器３０は、例えば液晶ディスプレーを用いて構成される。液晶ディスプレーは、様
々な画像を自由に表示でき、与えることのできる情報が豊富となり、且つコストが低く小
型である点で好ましい。液晶ディスプレーのほかはプラズマディスプレーを用いるように
してもよい。プラズマディスプレーは小型で、かつバックライトが不要になる。その他に
はＣＲＴを用いてもよい。ＣＲＴは指示表示器の施工コストを低く抑えることができる。
【００２７】
表示器３０は支持機構４０を介してガントリ部２０に取り付けられている。さらに、支
持機構４０は表示器３０を回動可能に支持している。また、診断する部位によっては、被
検体ＯＢＪの頭部はガントリ部２０の前面と後面の両方に位置する場合があることから、
図１に示すように、表示器３０及び支持機構４０はガントリ部２０の前面及び後面の２箇
所に設けることが望ましい。
【００２８】
次に、図１のＣＴ装置の制御機構を図２を用いて説明する。操作コンソール１は、操作
者からの指示や情報等を入力する入力装置２と、画像再構成処理等を実行する中央処理装
置３と、制御信号等を寝台機構１０やガントリ部２０へ出力する制御インタフェース４と
、ガントリ部２０で取得したデータを収集するデータ収集バッファ５と画像等を表示する
モニタ６と、各種のデータやプログラムを記憶する記憶装置７とを有している。
【００２９】
一般的に、操作コンソール１は、ガントリ部２０や寝台機構１０の設置してある検査室
とは別に設けられた操作室に設置される。これにより、オペレーターの、ガントリ部２０
から放射されるＸ線による被曝を防いでいる。オペレーターはこの操作室のガラス窓など
から検査室の様子が把握できるようになっている。
【００３０】
また、寝台機構１０は寝台機構コントローラ１３を有する。これによって制御インタフ
ェース４を介し、操作コンソール１と寝台機構１０の制御のための情報のやり取りを行う
ことにより、遠隔操作を可能としている。
【００３１】
また、ガントリ部２０は、操作コンソール１とＸ線のスキャンのための制御情報をやり
取りするＸ線系コントローラ２５及びガントリ部２０のチルト角調整動作のための制御情
報をやり取りするチルト角コントローラ２６を有する。これによって、操作コンソール１
からの遠隔操作を可能としている。ガントリ部２０からのＸ線放射によるスキャンによっ
て得られたデータは、データ収集部２４からデータ収集バッファ５へと送られる。
【００３２】
表示器３０は、表示器コントローラ３１を介し、中央処理装置３から与えられる画像等
を表示できるようになっている。また、表示器３０の回動は中央処理装置３からの制御情
報により支持機構コントローラ４１を介して行うことができる。
【００３３】
次に、このようなＣＴ装置の動作を図３乃至図９を用いて説明する。まず、Ｘ線のスキ
ャンをはじめる前の準備動作について説明する。図３は本実施例におけるＣＴ装置の準備
動作の流れを示すフローチャートである。図３における長方形はオペレーターの操作を表
し、平行四辺形は表示器３０の動作を表す。
【００３４】
まず、ステップＳ１００において、オペレーターは図２に示す装置の電源を入れ、装置
を起動する。
【００３５】
ガントリ部２０に内蔵されるＸ線源２２は、一定時間不使用の状態が継続されると、撮
影開始前のウォームアップを必要とする。したがって、ステップ１０１において、中央処
理装置３は前回の装置使用から経過した時間を導出し、Ｘ線源２２のウォームアップが必
要か否かを判断し、ウォームアップが必要である場合にはステップＳ１０２へ進み、必要
でない場合にはステップＳ１０５へと進む。
【００３６】
ステップＳ１０２では、中央処理装置３は表示器３０に、記憶装置７に記憶されている
「ウォームアップが必要です」等の文字の画像を表示させるなどして、オペレーターにウ
ォームアップの開始を促す。
【００３７】
ステップＳ１０３において、オペレーターは入力装置２への入力を行い、ウォームアッ
プを開始する。ウォームアップの実行中には、ガントリ部２０に内蔵されるＸ線源２２か
らＸ線が放射されるので、検査室にオペレーター等が在室しないようにしなければならな
い。そこで、ステップＳ１０４において、表示器３０には「ウォームアップ中」または、
「放射線発生中」等の文字を表示し、オペレーターが誤って検査室に在室することを防ぐ
。
【００３８】
次にステップＳ１０５として、表示器３０に「患者情報入力なし」等と表示させ、オペ
レーターに対し、診断を行う予定の被検体ＯＢＪの識別情報の入力を促す。
【００３９】
次にステップＳ１０６において、オペレーターは被検体ＯＢＪの識別情報を入力する。
【００４０】
その後、ステップＳ１０７では、表示器３０には入力された情報をもとに、例えば被検
体ＯＢＪの名前等の一部の識別情報が表示される。
【００４１】
ステップＳ１０８において、被検体ＯＢＪが検査室に入り、寝台機構１０へと載置され
る。このとき表示器３０には被検体ＯＢＪの名前等の情報が表示されているので、オペレ
ーター及び被検体ＯＢＪはその表示内容により、患者の取り違えをしていないかを確認す
る。その後、被検体ＯＢＪとガントリ部２０の位置合わせを行う。オペレーターは被検体
ＯＢＪを載せた寝台機構１０の位置を、ガントリ部２０に設けられる投光器から発せられ
る投光をガイドとして調整する。
【００４２】
ステップＳ１０９として、表示器３０は、寝台機構１０の位置調整の開始に伴い、寝台
機構１０の位置の調整を行うオペレーターに対し寝台機構１０の操作をガイドする情報を
表示する。
【００４３】
表示させる内容としては、「天板の位置合わせを行って下さい」等の診断の手順のガイ
ド、寝台の位置座標や、ガントリ部２０に設けられた入力装置２の操作方法のガイドなど
がある。
【００４４】
ステップＳ１００乃至Ｓ１０９において、表示器３０はオペレーターの視認が容易な角
度に支持されることが好ましい。例えば表示器３０の液晶画面が床面に対して垂直な状態
となっているとする。この場合、比較的遠方に位置するオペレーターや、装置近傍に立つ
オペレーターからの視認が容易である。
【００４５】
また、ステップ１０９においては、例えば図５のように、寝台機構１０に載置された被
検体ＯＢＪに見えやすいと考えられる、予め設定された角度に表示器３０が位置するよう
に支持機構４０を駆動し、「準備中」の文字、またはその他被検体ＯＢＪに対する適宜の
リラックス用のビデオもしくはテレビ映像を表示してもよい。ここでは、表示される画像
の方向は、ヘッドファーストに対応させるものとし、中央処理装置３は、支持機構４０の
方向を上方向として画像を表示させる。
【００４６】
ステップＳ１１０において、オペレーターは、入力装置２を介し、診断のプランを選択
する。選択するプランに含まれる主な要素は、目的部位、被検体の位置、スキャンモード
、撮影角度、撮影スライス厚などの設定である。ここで、被検体の位置とはヘッドファー
ストであるかフットファーストであるか、ヘッドレスト１２を使用するかどうか、などが
含まれる。撮影モードの選択とはＳ＆Ｓスキャン、Ｓ＆Ｖスキャン、ヘリカルスキャンな
どのスキャン方法の選択である。また、撮影角度の選択によりガントリ部２０のチルト角
が決定される。
【００４７】
一方、ステップＳ１１１として、上記プランに基づく診断のプランの情報をガントリ部
２０の表示器３０へも表示してもよい。この診断プランの表示は、この後のステップにお
いても、表示器３０の画面上の一部に表示され、常にプランの進行状況を表すようにして
もよい。
【００４８】
次にステップＳ１１２として、オペレーターは、モニタ８及び表示器３０の視認により
、選択されたプランを確認し、そのプランで診断を行うことを確定する。確定した場合は
ステップＳ１１３へと進み、キャンセルした場合はステップＳ１１０へ戻る。
【００４９】
ステップＳ１１３として、プランの入力が確定すると、中央処理装置３は、例えばヘッ
ドレスト１２を使用しヘッドファーストでガントリ部２０へ導入といった情報を得ること
により、天板１１上の被検体ＯＢＪ頭部の相対的な位置を算出する。さらに、中央処理装
置３は寝台機構コントローラ１２から天板１１の位置情報を取得し、ガントリ部２０に対
する被検体ＯＢＪ頭部の位置を算出する。このようにして中央処理装置３は、被検体ＯＢ
Ｊの頭部の位置を把握する。
【００５０】
さらに、中央処理装置３は、チルト角コントローラ２６からガントリ部２０のチルト角
を得て、上述の処理で得た情報と合わせ、被検体ＯＢＪの頭部から表示器３０への視線が
、表示器３０の液晶面に対して垂直となる表示器３０の支持角度を算出する。算出した制
御情報が支持機構コントローラ４１に送信され、支持機構４０が駆動する。かくして表示
器３０は被検体ＯＢＪから見えやすい角度に変動することができる。
【００５１】
次に、本実施例におけるＣＴ装置の準備操作の後のＸ線のスキャンの際の動作を説明す
る。ここでは、例えば撮影部位を腹部とし、スキャン方法はヘリカルスキャンであり、ヘ
ッドファーストでガントリ部２０へ導入する場合の動作を説明する。図４は本実施例にお
けるＣＴ装置のスキャン動作の流れを示すフローチャートである。
【００５２】
設定されたプランがヘッドファーストであることから、ガントリ部２０の前面に設けら
れた表示器３０及び天板１１は図６に示されるように配置している。この場合、被検体Ｏ
ＢＪの頭部はガントリ部２０の後方に位置するので、ガントリ部２０の後面に設けられた
指示表示器３０が駆動する。
【００５３】
また、中央処理装置３は、被検体ＯＢＪの視点にあわせ、表示器３０上に表示される画
像の上下を決定し、表示器コントローラに制御信号を送信する。ここでは、表示される画
像は、矢印Ａで示されるガントリ部２０の出入り口２１を下方向として表示される。
【００５４】
まずステップＳ２０１として、オペレーターが、入力装置２を介して、ＣＴ装置にＸ線
のスキャンのための動作を開始させる。通常は、入力装置２上に「Ｘ線のスキャン開始ス
イッチ」などを設け、これを押すことによりＸ線のスキャンの準備動作が開始される。
【００５５】
このときステップＳ２０２として、表示器３０には図８に示すように「準備中」などと
表示し、それと同時に、中央処理装置３は装置の初期状態への駆動を完了するまでの所要
時間を導出し、表示器３０上にステータスバーで表示させる。このステータスバーは一般
的によく知られた形態で、矢印方向に移動する何らかの印をもってある動作の進行状況を
表すものである。ステータスバーの一端の近傍には「開始」などと表示し、他端には「終
了」などと表示する。
【００５６】
ステップＳ２０３においては、ＣＴ装置は準備動作を行いガントリ部２０及び寝台機構
１０などを所望する診断に適応する初期状態へと駆動させる。
【００５７】
これをうけて、ステップＳ２０４では、中央処理装置３は寝台機構コントローラ１１か
ら天板の位置情報を取得し、被検体ＯＢＪから表示器３０が見えやすい位置を算出する。
【００５８】
そして支持機構コントローラ４１に制御情報を送信し、支持機構４０を駆動させる。
【００５９】
次に、ステップＳ２０５での準備完了か否かの判断により、完了でない場合はステップ
Ｓ２０２にもどる。Ｘ線のスキャンの準備が完了するまでステップＳ２０２乃至２０４を
繰り返すことにより、表示器３０における準備進行状況の表示、及びガントリ部２０に対
する支持角度は逐一更新される。
【００６０】
初期状態への駆動が完了すると、ステップＳ２０６として、オペレーターは被検体ＯＢ
Ｊやその他周囲の状況を確認し、問題がなければ入力装置２上のＸ線のスキャン開始ボタ
ンをもう一度押す。
【００６１】
ステップＳ２０７では、信号を受けた中央処理装置３は表示器３０に被検体ＯＢＪへの
息止めを促す画像、例えば「息を止めてください。」の文字等を表示する。被検体ＯＢＪ
が表示器３０からの指示を認知し、息止めを行うための適当な時間の後、ステップＳ２０
８へと移る。
【００６２】
ステップＳ２０８では、中央処理装置３はＸ線のスキャンが終了するまでの時間を算出
し、「撮影中です。息を止めてください」等のメッセージとともに、上述したようなステ
ータスバーを表示器３０に図９のように表示することにより、スキャンの進行状況を被検
体ＯＢＪへ伝達する。次に、ステップＳ２０９として、ＣＴ装置がスキャン動作を行う。
【００６３】
ここではヘリカルスキャンを行うので、天板１１の移動とＸ線放射が同時に行われる。従
って、ステップＳ２１０において中央処理装置３は、被検体ＯＢＪから表示器３０が見え
やすいよう、天板１１の移動と連動させて支持機構４０を駆動させる。
【００６４】
ここで、支持機構４０の連動の態様は一つに限らない。例えば、天板１１の移動中は、
支持機構４０もそれに対応した連続的な連動を行うとしてもよいし、天板１１がある程度
移動したところで支持機構４０の角度が変化する、といったような段階的な連動を行うと
してもよい。液晶ディスプレイの視野角はＣＲＴモニタなどと比べると狭いものの、一定
の範囲においての視認は可能であるため、必ずしも被検体ＯＢＪの視線と表示器３０の画
面が正確に直行する必要はない。
【００６５】
ステップＳ２１１のＸ線のスキャン完了か否かの判断により、完了でない場合はステッ
プＳ２０８にもどる。Ｘ線のスキャンが完了するまでステップＳ２０８乃至２１０を繰り
返すことにより、表示器３０におけるＸ線のスキャン進行状況の表示、及びガントリ部２
０に対する支持角度は逐一更新される。
【００６６】
Ｘ線のスキャンが終了するとステップＳ２１２として、表示器３０には「息をすってく
ださい」の文字等の息止め解除を表す画像を表示する。
【００６７】
なお、ここではヘッドファーストの場合を例としたが、例えば、図７に示すような、フ
ットファーストでのガントリ部２０への導入の場合では、ガントリ部２０前面に設けられ
た表示器のみで対応が可能である。この場合、表示される画像の上下方向は支持機構４０
方向を下方向として表示する。
【００６８】
上述した動作例では、表示器３０について表示態様の一例を具体的に説明したが、これ
に限らない。表示器３０には液晶ディスプレーを用いているため、他にも様々な情報を様
々な態様で表示できる。例えば被検体ＯＢＪに対して「息を止めてください。」等の指示
を表示する場合には点滅表示やスクロール表示としたほうが、被検体ＯＢＪの注意を促せ
る。また、文字情報とともに記号や様々な形態を表示することにより、被検体ＯＢＪが感
覚的に指示を理解しやすい可能性もある。
【００６９】
また、装置及び被検体の配置、即ち位置、向き、角度、或いは姿勢によっては被検体Ｏ
ＢＪの頭部と表示器３０の距離は異なる。したがって、中央処理装置３は表示器３０と被
検体ＯＢＪの距離を算出し、表示器３０に表示される文字及び記号などの大小を距離によ
って制御してもよい。例えば、フットファーストの場合に、被検体ＯＢＪの頭部は表示器
３０から比較的遠くなるので、表示器に表示される文字は比較的大きい文字とし、一方、
ヘッドファーストの時は比較的小さい文字を用い表示できる情報量を増やすなどすること
が考えられる。
【００７０】
このようにすれば、被検体ＯＢＪにとってさらに表示器３０の視認性及び伝達できる情
報量が向上する。さらに、息止めの指示は音声によって行い、表示器３０には適宜、被検
体をリラックスさせるための映像を表示するなどすれば、被検体ＯＢＪが年少者であった
場合に効果がある可能性がある。
【００７１】
このようなリラックス映像を表示するために、制御インターフェイス４などに外部映像
機器（例えばビデオデッキやＤＶＤプレーヤなど）と接続できる機構を設けておいても良
い。接続された映像機器からの映像信号を表示器３０に表示することにより、より多彩な
情報を簡便に表示することができる。
【００７２】
また、被検体ＯＢＪの穿刺などをする場合には、指示表示器３０にリアルタイムのＣＴ
画像を表示し、指示表示器３０の支持される角度をガントリ部２０近傍の術者に見えやす
いようにしておいてもよい。
【００７３】
このように、上述した実施例によれば、表示器３０を回動して表示面を角度可変とする
ともに、表示される画像を上下反転することができる。図１のような構成によれば、表示
器３０は鉛直である位置から１８０°近い回動も可能であり、常に被検体ＯＢＪは、液晶
画面を用いることによる多彩な画像情報を常に見やすい状態で目視することが可能である
。このことにより被検体ＯＢＪの息止めが的確に行われるとともに、オペレーターの誤操
作を回避させることができる。したがって、撮影を失敗して再スキャンすることによる被
検体のＸ線被曝や、診断効率の低下、及び装置の消耗を防ぐことができる。
【００７４】
さらに、上記実施例では、入力された診察のプラン及び、寝台機構１０の位置情報から
、自動的に指示表示器３０の角度を変化させることが可能である。したがって、オペレー
ターは従来と比べて何ら特別な操作を行う必要がなく、本実施例における装置の操作は従
来と比べてオペレーターに何らの負担を与えるものではない。
【００７５】
これらのことから、本実施例によれば、被検体が撮影に関する情報を的確かつ容易に把
握することができる。
【００７６】
また、上記実施例において、表示器３０は情報を出力する機能のみを記載したが、これ
に限らない。例えば表示器３０の液晶画面をタッチパネル方式などとすることにより、情
報を入力する手段としてもよい。この場合、オペレーターや被検体ＯＢＪは表示器から適
宜、装置の各部を操作したり、情報を他者に伝達したりすることができる。
【００７７】
また、上記実施例では、表示器３０は支持機構４０の駆動によって、ガントリ部２０に
対する角度が変動するとしているが、これに限らない。例えば、ガントリ部２０に対して
上下方向及び前後方向に伸縮又は摺動可能な機構をもつ支持機構を用いて表示器３０を移
動させてもよい。
【００７８】
また、表示器３０として、ＣＲＴモニタなどの比較的視野角の広いモニタを使用した場
合、表示器３０は回動させず、被検体ＯＢＪの視線とモニタ画面の角度を考慮し表示器３
０上の表示態様を変化させることも考えられる。例えば、被検体ＯＢＪの視線と表示器３
０の画面とのなす角度が、９０°から離れていくにつれて、表示器３０上の表示画像を被
検体ＯＢＪの体軸方向に伸長させて表示させることなどが考えられる。このようにすれば
、表示器３０の角度によっては表示される文字等が潰れた印象となることにより、被検体
ＯＢＪが情報を取得することが困難となることを防ぐことができる。
【００７９】
また、上記実施例では、Ｘ線ＣＴ装置への適応例を述べたが、これに限らない。他にも
、ガントリ部とそのガントリ部の内部へと被検体を導入するための移動可能な寝台機構を
有する医用診断装置であれば適応できることは言うまでもない。このような構成を有する
医用診断装置としては、例えば磁場による被検体の磁気共鳴を検出し、被検体の断層像を
得るＭＲＩ（磁気共鳴イメージング装置）等があげられる。
【符号の説明】
【００８０】
1  操作コンソール
２  入力装置
３  中央処理装置
４  制御インタフェース
５  画像データ収集バッファ
６  モニタ
７  記憶装置
１０  寝台機構
１１  天板
１２  ヘッドレスト
１３  寝台機構コントローラ
２０  ガントリ部
２１  出入り口
２２  Ｘ線源
２３  検出部
２４  データ収集部
２５  Ｘ線系コントローラ
２６  チルト角コントローラ
３０  表示器
３１  表示器コントローラ
４０  支持機構
４１  支持機構コントローラ 
【図１】
2010012319.tif 000003
【図２】
2010012319.tif 000004
【図３】
2010012319.tif 000005
【図４】
2010012319.tif 000006
【図５】
2010012319.tif 000007
【図６】
2010012319.tif 000008
【図７】
2010012319.tif 000009
【図８】
2010012319.tif 000010
【図９】
2010012319.tif 000011
【図１０】
2010012319.tif 000012